(57)【特許請求の範囲】
【請求項１】
載置板の基部に支柱を立設し、この支柱に上下スライド自在に設けたボルト支承板の先端にコンクリートブロックの底板を支承する支承片を連設し、このボルト支承板にナット部を設け、このナット部にボルトを螺着し、該ボルトの回動によりボルト支承板を昇降させてコンクリートブロックの底板の基礎面よりの高さを上下調節できるようにしたことを特徴とする大型コンクリートブロックの設置用上下調節装置。
【発明の詳細な説明】
【０００１】
【発明の属する技術分野】
本発明は、擁壁、排水溝、排水トンネルなどを作るときに使用する擁壁ブロック，排水溝ブロック，柵渠溝ブロック，ボックスカルバートなどの大型コンクリートブロックを設置する際に使用する大型コンクリートブロックの設置用上下調節装置に関するものである。
【０００２】
【従来の技術及び発明が解決しようとする課題】
従来、例えば擁壁ブロックを施工するに当たっては、この擁壁ブロックをトラックレーンなどで基礎面上に降ろし、所定の位置に前後を合わせて隣のコンクリートブロックと並べた上、擁壁板の左右側端部同志を正しく突き合わせていたが、基礎面上が必ずしも平らでないから夫々の擁壁板の左右側縁を正しく突き合わせた上擁壁板の前面を面一に並べることは極めて困難であった。
【０００３】
そのため施工の都度擁壁ブロックをトラッククレーンなどで吊り上げ、基礎面と底板との間に介在物を介入し、押動して側縁を正しく突き合わせ且つ擁壁板の前面が面一になるように是正しているが、この擁壁ブロックが大型であるため大変厄介な作業となり、それだけ作業能率を低下させる欠点があった。
【０００４】
本発明は、大型コンクリートブロックの設置に際して、コンクリートブロックを正しい位置に是正することが簡易に行える大型コンクリートブロックの設置用上下調節装置を提供するものである。
【０００５】
【課題を解決するための手段】
添付図面を参照して本発明の要旨を説明する。
【０００６】
載置板１０の基部に支柱１１を立設し、この支柱１１に上下スライド自在に設けたボルト支承板１２の先端にコンクリートブロックａの底板４を支承する支承片１３を連設し、このボルト支承板１２にナット部１４を設け、このナット部１４にボルト１５を螺着し、該ボルト１５の回動によりボルト支承板１２を昇降させてコンクリートブロックａの底板４の基礎面１よりの高さを上下調節できるようにしたことを特徴とする大型コンクリートブロックの設置用上下調節装置に係るものである。
【０００７】
【発明の実施の形態】
好適な本発明の実施の形態を、簡単な作用効果を示して実施の一例を示した図面に基づいて簡単に説明する。
【０００８】
基礎面１に載置するコンクリートブロックａの底板４の周縁数箇所下側に本発明の上下調節装置ｄを配設し、この各上下調節装置ｄの支承片１３でコンクリートブロックａの底板４の周縁数箇所を支承すると、各上下調節装置ｄのボルト１５を回動させることにより支承片１３を連設したボルト支承板１２を昇降させて底板４の基礎面１よりの高さを上下に微調節できるため、コンクリートブロックａを正しい位置に是正することが簡易に行い得ることとなる。
【０００９】
【実施例】
図面は、本発明の好適な実施例を示している。
【００１０】
図１，図２は、大型のコンクリートブロックａを設置する基礎面１の、コンクリートブロックａの下面重心位置２若しくは近傍が当接する位置に、コンクリートブロックａを基礎面１より浮かせる突部３を設け、この突部３上にコンクリートブロックａの重心位置２若しくは近傍を合わせるようにしてコンクリートブロックａを載置し、コンクリートブロックａの底板４を所定の水平状態若しくは傾斜状態に保持せしめ、基礎面１とコンクリートブロックａの底板４の下面との間隙５にコンクリートモルタル，セメントモルタル，樹脂モルタルなどの硬化剤７を充填して基礎面１上にコンクリートブロックａを設置した場合（第一施工例）である。
【００１１】
突部３は、図２に示すように、頂部が湾曲面状に形成された塊状体を単に頂部が基礎面１上へ立設状態で突出するようにして基礎面１に埋め込み形成している。この突部３の形状については本実施例に限定されるものでなく、適宜設計可能である。
【００１２】
また、この突部３の突出高さについては、支承したコンクリートブロックａを良好に揺動せる高さが必要であるが、コンクリートブロックａの大きさに応じて適宜設計可能である。
【００１３】
また、図面は突部３上に載置したコンクリートブロックａの底板４周縁の四隅の下側に上下調節装置ｄを配設し、この各上下調節装置ｄを調節することによりこの突部３を支点とするヤジロベー作用によるコンクリートブロックａの位置調節を行い、コンクリートブロックａを正しい状態に保持せしめた場合を図示している。
【００１４】
ここで、図９，図１０に示す本実施例の上下調節装置ｄについて説明すると、載置板１０の基部に支柱１１を立設し、この支柱１１に上下スライド自在に設けたボルト支承板１２の先端にコンクリートブロックａの底板４を支承する支承片１３を連設し、このボルト支承板１２にナット部１４を設け、このナット部１４にボルト１５を螺着し、このボルト１５の先端部を載置板１０の中間部に回動自在に保持してボルト１５を載置板１０に立設状態に設け、該ボルト１５の回動によりボルト支承板１２を昇降させてコンクリートブロックａの底板４の基礎面１よりの高さを上下調節できるようにしたものである。図中符号１９は支柱１１の補強体、２０はボルト１５先端を回動自在に支持するボルト支持部である。
【００１５】
この上下調節装置ｄによりコンクリートブロックａを正しい姿勢に是正したら、その状態を保つべく底板４と基礎面１との間隙５に楔などの適当なスペーサー９を介したりして姿勢を保持せしめ、ボルト１５の回動により支承片１３を少し下げて上下調節装置ｄを取り外した後、この間隙５に硬化剤７を詰め込んでコンクリートブロックａを基礎面１上に固定する。
【００１６】
この硬化剤７は、注入口８から間隙５に注入しても良いし、コンクリートブロックａの底板４の脇から間隙５に注入しても良い。
【００１７】
また、硬化剤７注入時には、硬化剤７が脇から流れ出ないように間隙５の周りに漏れ止め板を配したり、間隙５の周りを土などで埋めておくと良い。
【００１８】
このコンクリートブロックａを正しい状態に設置するには水準器を併用することが望ましい。
【００１９】
図中符号１６は砂利、１７は栗石である。
【００２０】
図３〜図５は、大型のコンクリートブロックａを設置する基礎面１の、コンクリートブロックａの下面重心位置２若しくは近傍が当接する位置に突部３”を突設した支承板６若しくは支承突体ｃを載置し、この支承板ｂの突部３”上若しくは支承突体ｃ上にコンクリートブロックａの重心位置２若しくは近傍を合わせるようにしてコンクリートブロックａを載置し、コンクリートブロックａの底板４を所定の水平状態若しくは傾斜状態に保持せしめ、基礎面１とコンクリートブロックａの底板４の下面との間隙５にコンクリートモルタル，セメントモルタル，樹脂モルタルなどの硬化剤７を充填して基礎面１上にコンクリートブロックａを設置した場合（第二施工例）である。
【００２１】
図３は、突部３”を突設した支承板ｂの一例を示したもので、方形状の支承板ｂのほぼ中心部に図２に示した実施例の突部３と略同形状の突部３”を立設して構成している。
【００２２】
図４は、支承突体ｃの一例を示したもので、立方体状の塊状体を採用した場合を図示している。
【００２３】
この突部３”及び支承突体ｃの突出高さもコンクリートブロックａの大きさに応じて適宜設計可能である。
【００２４】
また、この支承突体ｃについては、図示のものと形状の異なる塊状体を採用して構成しても良いし、単なる石を採用して構成しても良い。また、柔軟性を有する塊状体を支承突体ｃとして構成しても良く、このように構成すると、その柔軟性により支承突体ｃとしての塊状体が適度に潰れ、ヤジロベー作用が良好に発揮されることとなる。
【００２５】
尚、柔軟性を有する塊状体を支承突体ｃとして採用する場合は、コンクリートブロックａをこの柔軟性を有する塊状体上に設置したとき、塊状体が少なくとも基礎面１と支承したコンクリートブロックａの底板４とにこのコンクリートブロックａを良好に揺動せる突出高さを保持し得る硬さの柔軟材で構成する。
【００２６】
本実施例では、図５に示すように、基礎面１にコンクリートブロックａを設置するための墨付１８をすると共に、予めこの基礎面１上に設置するコンクリートブロックａの重心位置２付近に支承板ｂ及び支承突体ｃの設置目安として目印６を付けておくと作業を円滑に行い得ることとなる。
【００２７】
突部３”若しくは支承突体ｃを支点としてコンクリートブロックａを正しい位置に、且つ正しい姿勢に是正したら、後は前述の第一施工例と同様の方法にてコンクリートブロックａを基礎面１上に固定する。
【００２８】
図６〜図８は、大型のコンクリートブロックａを設置する基礎面１の、コンクリートブロックａの下面重心位置２若しくは近傍が当接する位置に、断面逆折り返し状の長い支承桟材ｂ’を一本コンクリートブロックａの並設方向に設置し、この支承桟材ｂ’の突頂部３’上に、コンクリートブロックａの重心位置２若しくは近傍を合わせるようにしてコンクリートブロックａを載置し、コンクリートブロックａの底板４を所定の水平状態若しくは傾斜状態に保持せしめ、基礎面１とコンクリートブロックａの底板４の下面との間隙５にコンクリートモルタル，セメントモルタル，樹脂モルタルなどの硬化剤７を充填して基礎面１上にコンクリートブロックａを設置した場合（第三施工例）である。
【００２９】
支承桟材ｂ’は、図６，図７に示すように一本のＬ状アングル材を採用し、このアングル材の角部が基礎面１上に突出状態となるように基礎面１に埋め込み形成してこの突出角部を突頂部３’とする構成でも良いし、図８に示すように一本のＵ状チャンネル材を採用し、このチャンネル材を逆Ｕ状に配してこの上面部が基礎面１上に突出状態となるように基礎面１に埋め込み形成して、この突出面部を突頂部３’とする構成でも良い。
【００３０】
このようにアングル材やチャンネル材を採用すると部品コスト安となる。また、この他の構造のものを採用して支承桟材ｂ’を構成しても良い。
【００３１】
この支承桟材ｂの突頂部３’の突出高さについても、使用するコンクリートブロックａの大きさに応じて適宜設計可能である。
【００３２】
突頂部３’を支点としてコンクリートブロックａを正しい位置に、且つ正しい姿勢に是正したら、後は前述の第一施工例と同様の方法にてコンクリートブロックａを基礎面１上に固定する。
【００３３】
【発明の効果】
本発明は上述のように構成したから、コンクリートブロックの底板の周縁数箇所下側に本発明の上下調節装置を配設して支承片でコンクリートブロックの底板の周縁数箇所を支承すれば、この各上下調節装置のボルトを回動させることにより支承片を連設したボルト支承板を昇降させて底板の基礎面よりの高さを上下に微調節できるため、コンクリートブロックを正しい位置に是正することが簡易に行い得ることとなる秀れた大型コンクリートブロックの設置用上下調節装置となる。
【図面の簡単な説明】
【図１】第一施工例を示す側面図である。
【図２】第一施工例の突部を基礎面に設置した状態を示す斜視図である。
【図３】第二施工例の支承板を基礎面に載置した状態を示す斜視図である。
【図４】第二施工例の支承突体を基礎面に載置した状態を示す斜視図である。
【図５】第二施工例を示す説明平面図である。
【図６】第三施工例を示す側面図である。
【図７】第三施工例の支承桟材を基礎面に設置した状態を示す斜視図である。
【図８】支承桟材の別例を基礎面に設置した状態を示す斜視図である。
【図９】本実施例の上下調節装置を示す正面図である。
【図１０】本実施例の上下調節装置の使用状態を示す側面図である。
【符号の説明】
ａ  コンクリートブロック
１  基礎面
４  底板
１０  載置板
１１  支柱
１２  ボルト支承板
１３  支承片
１４  ナット部
１５  ボルト
【図１】
0003623877.tif 000002
【図２】
0003623877.tif 000003
【図３】
0003623877.tif 000004
【図４】
0003623877.tif 000005
【図５】
0003623877.tif 000006
【図６】
0003623877.tif 000007
【図７】
0003623877.tif 000008
【図８】
0003623877.tif 000009
【図９】
0003623877.tif 000010
【図１０】
0003623877.tif 000011